(57)【要約】【課題】  係止のために変位する長さ分、長手方向に変位を許容する空間が必要であり、長尺物繰り出し装置の全長に占める構造部分が多くなり、長尺物繰り出し装置の全長を長くする必要があり、携帯性やデザイン性の制約を大きく受けるものであった。【解決手段】  弾性変形部は、前記操作部の変位操作によって、前記摺動子が前後動可能な軸筒の長手方向に対して横方向に変位する長尺物繰り出し装置。【選択図】  図４
2018122439.tif 000002
【特許請求の範囲】
【請求項１】
軸筒と、軸筒内に前後動自在に配置された長尺物保持部材である摺動子とより少なくともなり、軸筒は、長尺物が出没する先端開口部と、長尺物を出没操作する操作部を外露するための案内孔と、摺動子を係止する係止部とを有し、摺動子は、長尺物保持部と、操作部と、軸筒の係止部に対する係合部と、前記摺動子の係合部と、前記軸筒の前記係止部に係止、解除可能する操作部の変位によって弾性変形可能で変位解除されると形状復元する弾性変形部とを有する長尺物繰り出し装置において、前記弾性変形部は、前記操作部の変位操作によって、前記摺動子が前後動可能な軸筒の長手方向に対して横方向に変位することを特徴とする長尺物繰り出し装置。
【請求項２】
前記弾性変形部を、板状とし、板の平面部を軸筒長手方向の横方向に形成したことを特徴とする請求項１記載の長尺物繰り出し装置。
【請求項３】
請求項１から請求項３いずれか１項記載の長尺物繰り出し装置付き筆記具。
【発明の詳細な説明】
【技術分野】
【０００１】
本発明は、消し具、固形描画材、固形化粧料などの長尺物を、非使用時は軸筒内に収容し、使用時に繰り出すことができる長尺物繰り出し装置に関する。
【背景技術】
【０００２】
従来、棒状の消しゴムなどの長尺物を軸筒（外カバー）から繰り出し可能に収容する長尺物繰り出し装置として、長尺物を保持する部材に操作部や軸筒（外カバー）に対する係止部とこれを弾性的に連結する部分などを、長尺物に対する保持部に長手方向に連設させたものが知られている（特許文献１）。
【先行技術文献】
【特許文献】
【０００３】
【特許文献１】特開２０００−１４１９８９号公報
【発明の概要】
【発明が解決しようとする課題】
【０００４】
特許文献１に開示されているものは、操作部や軸筒（外カバー）に対する係止部とこれを弾性的に連結する部分などを、長尺物に対する保持部に長手方向に連設させており、また、係止のために操作部を操作する際に軸筒（外カバー）の長手方向に変位させるものであるので変位する長さ分、長手方向に変位を許容する空間が必要となる。よって、必然的に長尺物繰り出し装置の全長に占める構造部分（弾性的に連結する部分）の割合が多くなり、長尺物繰り出し装置の全長を長くする必要があり、携帯性やデザイン性の制約を大きく受けるものであった。
【課題を解決するための手段】
【０００５】
本発明は、軸筒と、軸筒内に前後動自在に配置された長尺物保持部材である摺動子とより少なくともなり、軸筒は、長尺物が出没する先端開口部と、長尺物を出没操作する操作部を外露するための案内孔と、摺動子を係止する係止部とを有し、摺動子は、長尺物保持部と、操作部と、軸筒の係止部に対する係合部と、前記摺動子の係合部と、前記軸筒の前記係止部に係止、解除可能する操作部の変位によって弾性変形可能で変位解除されると形状復元する弾性変形部とを有する長尺物繰り出し装置において、前記弾性変形部は、前記操作部の変位操作によって、前記摺動子が前後動可能な軸筒の長手方向に対して横方向に変位することを特徴とする長尺物繰り出し装置を要旨とする。
【発明の効果】
【０００６】
本発明は、棒状の消しゴムなどの長尺物を保持する摺動子を軸筒に対して係止する係止操作の際に操作部を変位させる弾性変形部を、横方向に変位するので、軸筒の長手方向に変位のための空間を必要としない。よって、全体をコンパクトな設計にすることができ、携帯性やデザイン性に制約のない長尺物繰り出し装置を得ることができる。
【図面の簡単な説明】
【０００７】
【図１】実施例１の縦断面図（Ａ−Ａ）。
【図２】図１の正面図。
【図３】摺動子２の斜視図。
【図４】図２の横断面図（Ｂ−Ｂ）。
【図５】実施例２（図７）の縦断面図（Ｃ−Ｃ）。
【図６】図８の縦断面図（Ｄ−Ｄ）。
【図７】図８の側面図。
【図８】図５の正面図。
【図９】図５の全体斜視図。
【図１０】図７の横断面図（Ｅ−Ｅ）。
【図１１】摺動子７の斜視図。
【図１２】図８の横断面図（Ｆ−Ｆ）。
【図１３】図８の横断面図（Ｇ−Ｇ）。
【発明を実施するための形態】
【０００８】
長尺物繰り出し装置の外装部材である軸筒は、繰り出す長尺物が繰り出し方向に移動可能な中孔に摺動子を前後動可能に配置しており、軸筒の側壁に繰り出し方向に連設した案内孔を通じて軸筒の外に配置された案内部材と連結されている。案内部材は、摺動子を長尺物の繰り出し方向に案内操作するものであるが、弾性変形部に接続された係合部と結合されており、弾性変形部を変位させるよう操作部を操作することによって、係合部が軸筒の係止部に対して係止解除状態として摺動子を長手方向に移動させて長尺物を繰り出し、変位を解除して係止部に係合部を係合させて摺動子を留め、長尺物の突出状態または収容状態を維持する。
【０００９】
軸筒の材質はＰＣ樹脂（ポリカーボネート樹脂）、ＰＳ樹脂（ポリスチレン樹脂）、ＡＳ樹脂（アクリロニトリルスチレン共重合体樹脂）、ＡＢＳ樹脂（アクリロニトリルブタジエンスチレン共重合体樹脂）、ＰＰ樹脂（ポリプロピレン樹脂）などが使用できる。また、透明色、半透明色、着色しても良く、用途に応じて適宜選択可能である。
【００１０】
摺動子が有する弾性変形部は、軸筒の長手方向に対して横方向に弾性変形して変位するものであり、横方向に変位させるものとして、板バネまたは片持ち梁のような部分を正面が横方向に向くよう配置することができる。その板バネまたは片持ち梁の形状としては、軸筒の横断面方向からの観察でＳ字、Ｕ字、Ｃ字、Ｍ字、Ｚ字、Σ字、円形状、楕円形状、菱形形状などを例示することができる。尚、後述する実施例は「Ｓ字」とした一例である。
【００１１】
摺動子の弾性変形部は、板状とし、板の平面部を軸筒の長手方向の横方向に形成して、板の平面部が形成してあれば、板の断面の形状は限定されない。
【００１２】
好適形状としては、弾性変形と耐久性に優れたものが良く、長方形、多角形、両面がカットされた楕円、波板でも良い。また、それらを組み合わせた形状であっても良い。また、
弾性変形部に、リンク機構やカム機構を組み合わせたものであっても良い。
【００１３】
摺動子の材質は射出成形品で形成する場合には、各種合成樹脂を使用できるが、好適材質としては、弾性変形と潤滑性に優れたものが良く、ＰＯＭ樹脂（ポリオキシメチレン樹脂）、ＰＰ樹脂（ポリプロピレン樹脂）、ＰＥ樹脂（ポリエチレン樹脂）でも良い。また、弾性変形部を別部品にして、樹脂や金属の切削品であっても良い。
【００１４】
摺動子の長尺物保持部は、保持する長尺物に応じた形状に形成されるが、長尺物が棒状の消しゴムなどの場合、有低筒状の部分としたり、リブや突起を形成して挟持する部分としたり、消しゴムの弾性変形性を利用するなどできる。また、抜け止め防止のリブや突起などを形成し、長尺物に形成した凹部と嵌め込む様にすることなどもできる。
【００１５】
長尺物保持部と案内部とは軸筒の案内孔を通じて連結されるが、この連結部分の途中部分として弾性変形部を形成することが効率的な形状といえる。また、合成樹脂の射出成型品として一体に形成することもできるが、複数の部材の組み立て物とすることもできる。一体の成型品とする場合には、弾性変形に対する形状復元性が求められる合成樹脂材料を選択することになるが、一般的に軟質の合成樹脂であれば、部分の厚みや形状を設計的に調整することで適宜使用可能である。
【００１６】
軸筒の係止部に対する係合部は、弾性変形部の弾性的な形状回復によって凸部同士が噛み合うようにすればよいが、軸筒の案内孔を幅広部分と幅狭部分とを交互に形成して、両者の段部を係止部とし、摺動子の案内孔を通過する部分に形成した凸部を係合させるなど適宜選択可能である。
【００１７】
長尺物として消しゴムとした場合、その材質は軟質材であり、ＴＰＥ樹脂（エラストマー樹脂）やＰＶＣ樹脂（塩化ビニール樹脂）であるが、これに限定されず、筆跡を消去するための材質を適宜選択することも可能である。
【００１８】
消し具の他には、固形描画材や固形化粧料などの自己摩耗性の物質や、タッチパネル付き電子機器などで利用される、スタイラスペン（タッチペン）など、使用してもほとんど摩耗しない長尺物を装着しても良い。
【実施例１】
【００１９】
本発明の実施例１を図に示し説明する。以下では、長尺物繰り出し装置の軸筒１の先端開口部１ａ側を前方、後端部１ｂ側を後方と呼称する。
【００２０】
長尺物繰り出し装置全体の縦断面図である、図１に示すように、長尺物繰り出し装置は、軸筒１と摺動子２で構成されている。
【００２１】
消し具３は、軸筒１に内装されていて、摺動子２の操作部２ａの繰り出し操作により、軸筒１の長手方向に前後動可能となっている。
【００２２】
本例の長尺物繰り出し装置を案内孔側から見た外観図である図２にも示す通り、軸筒１は、前方が先端開口部１ａを有する円筒形状を成しており、後方は後端部１ｂにより、閉口されている。軸筒１の外周面１ｃには案内孔１ｄが設けられている。案内孔１ｄには、案内孔の幅狭部分を形成する凸状部分の顎部分として係止部１ｅが軸筒１の長手方向に沿って、交互に繰り返し配置されている。
【００２３】
部品の外観を示す斜視図で得ある図３に示すように、摺動子２は、長尺物保持部２ｂと、操作部２ａと、軸筒１の係止部１ｅに対する係合部２ｃと、摺動子２の係合部２ｃと、操作部２ａの変位操作によって弾性変形可能で変位解除されると形状復元する弾性変形部２ｄを有している。
【００２４】
図２におけるＢ−Ｂ線断面矢視図である図４に示す通り、弾性変形部２ｄは、この方向から見てＳ字型の板バネ部分である。操作部２ａの変位操作によって、摺動子２が前後動可能な軸筒１の長手方向に対して横方向に変位する。つまり、弾性変形部２ｄは、板の平面部２ｅを軸筒１の長手方向の横方向に形成している。長尺物保持部２ｂと弾性変形部２ｄは、連結部材２ｆにより、一体となっている。
【００２５】
この軸筒１と摺動子２との組み合わせは、図１に示したように、軸筒１の内壁１ｆには、摺動子２の長尺物把持部２ｂが内嵌されている。係合部２ｃが、軸筒１の案内孔１ｄへ嵌まり込み、更に、軸筒の長手方向に沿って、交互に繰り返し配置されている係止部１ｅによって、軸筒の長手方向に対して、摺動子２は前後動不能となっている。操作部２ａは、軸筒１の外周面１ｃから外露している。
【００２６】
摺動子２の長尺物保持部２ｂは、前方が開口部２ｇにより開口され、後方が後端部２ｈにより閉口されたＣ字の円筒形状を成しており、長尺物保持部２ｂの内壁２ｉに消し具３の嵌合部３ａが内嵌されている。更に、長尺物保持部２ｂの内壁２ｉに設けた係止部２ｊによって、消し具３が前方へ容易に抜けないようになっている。また、消し具３の後端面３ｂは、後端部２ｈに設けた、突起部２ｋと当接している。よって、摺動子２と消し具３は一体となって動作するように構成されている。
【００２７】
摺動子２の操作部２ａを押圧すると、弾性変形部２ｄのＳ字の板バネ部が潰されるように弾性変形し、撓み、係合部２ｃが、嵌まり込んでいた案内孔１ｄの係止部１ｅから外れ、摺動子２の係止が解除される。
【００２８】
摺動子２の操作部２ａの押圧を維持しながら、摺動子２を前方へ繰り出すことで消し具３を軸筒１の先端開口部１ａから突出させる。
【００２９】
凸部２ｌは、摺動子２が案内溝に沿ってまっすぐ移動できるようにするガイド片であり、案内孔１ｄに繰り返し形成されている係止部１ｅの間隔よりも長く形成されている。
【００３０】
摺動子２の操作部２ａの押圧を解除すると、弾性変形して撓んでいた弾性変形部２ｄが、押圧前の形状に復元しようとする。
【００３１】
この時、摺動子２の係合部２ｃが、再び、軸筒１の案内孔１ｄへ、嵌まり込み、更に、軸筒１の長手方向に沿って、交互に繰り返し配置されている軸筒１の係止部１ｅによって、軸筒１の長手方向に対して、摺動子２は前後動することができない。
【００３２】
摺動子２の係合部２ｃには、前方に斜面２ｍと側面に斜面２ｎを設けているので、摺動子２の係合部２ｃが、軸筒１の係止部１ｅとの位置が若干ズレても、斜面に沿って、スムーズに入るようになっている。
【００３３】
尚、消し具３を軸筒１に対して収容させる為の繰り戻し操作については、前述の繰り出し操作とは逆の手順を行えば良い。
【００３４】
尚、実施例１では、摺動子２の弾性変形部２ｄは、操作部２ａの変位操作によって、摺動子２が前後動可能な軸筒１の長手方向に対して横方向に変位する為、軸筒１の長手方向に変位させるための空間を必要としないので、長尺物繰り出し装置の全長を短くすることができる。
【００３５】
このため、筆箱やポーチなどに入れやすくなり、携帯性が良いものとなっていた。更に、長尺物繰り出し装置の全長が短くなる分、操作部に指が届きやすくなり、手が小さい女性や子供にも操作性が良いものとなった。
【実施例２】
【００３６】
本発明の実施例２を図に示し説明する。以下では、消し具繰り出し装置付きシャープペンシルのノック式シャープペンシルユニット４側を前方、消し具繰り出し装置５側を後方と呼称する。
【００３７】
消し具繰り出し装置付きシャープペンシル全体の縦断面図である、図５に示すように、消し具繰り出し装置は、軸筒６と摺動子７と中栓８で構成されている。
【００３８】
消し具９、は軸筒６に内装されていて、摺動子７の操作部７ａの繰り出し操作により、軸筒の長手方向に前後動可能となっている。
【００３９】
本例の長尺物繰り出し装置を案内孔側から見た外観図である図２にも示す通り、軸筒６は、前後端が開口された、円筒形状を成している。軸筒６の外周面６ａにある、面６ｂには案内孔６ｃが設けられている。案内孔６ｃには、案内孔の幅狭部分を形成する凸状部分の顎部分として係止部６ｄが軸筒の長手方向に沿って、交互に繰り返し配置されている。
【００４０】
部品の外観を示す斜視図で得ある図１０に示すように、摺動子７は、長尺物保持部７ｂと、操作部７ａと、軸筒６の係止部６ｄに対する係合部７ｃと、摺動子７の係合部７ｃと、軸筒６の係止部６ｄに係止、解除可能とする操作部７ａの変位操作によって、弾性変形可能で変位解除されると形状復元する弾性変形部７ｄを有している。
【００４１】
図７におけるＥ−Ｅ線断面矢視図である図１１に示す通り、弾性変形部７ｄは、この方向から見てＳ字型の板バネ部分である。操作部７ａの変位操作によって、摺動子７が前後動可能な軸筒６の長手方向に対して横方向に変位する。つまり、弾性変形部７ｄは、板状とし、板の平面部７ｅを軸筒６の長手方向の横方向に形成している。よって、弾性変形部７ｄは、軸筒６の長手方向から見てＳ字の板バネ状となっている。長尺物保持部７ｂと弾性変形部７ｄは、連結部材７ｆにより、一体となっている。
【００４２】
この軸筒６と摺動子７との組み合わせは、図５に示したように、軸筒６の内壁６ｅには、摺動子７の長尺物把持部７ｂが内嵌されている。係合部７ｃが、軸筒６の案内孔６ｃへ嵌まり込み、更に、軸筒の長手方向に沿って、交互に繰り返し配置されている係止部６ｄによって、軸筒の長手方向に対して、摺動子７は前後動不能となっている。操作部７ａは、軸筒６の外周面６ａの面６ｂから外露している。
【００４３】
摺動子７の長尺物保持部７ｂは、後方が開口部７ｇにより開口され、前方が前端部７ｈにより閉口されたＣ字の円筒形状を成しており、長尺物保持部７ｂの内壁７ｉに消し具９の嵌合部９ａが内嵌されている。更に、長尺物保持部７ｂの内壁７ｉに設けた係止部７ｊによって、消し具９が後方へ容易に抜けないようになっている。また、消し具９の前端面９ｂは、前端部７ｈに設けた、突起部７ｋと当接している。よって、摺動子２と消し具３は一体となって動作するように構成されている。
【００４４】
中栓８は、有底の円筒形状を成し、軸筒６の前方に内嵌されていて、更に、摺動子７より、前方に配置されている。これは、使用時や携帯時、シャープペンシルユニット４に収容された、シャープペンシル用芯が、不用意に飛び出さないようにするためである。（図５〜６参照）
摺動子７の操作部７ａを押圧すると、弾性変形部７ｄのＳ字の板バネ部が潰され、弾性変形し、撓み、係合部７ｃが、嵌まり込んでいた軸筒６の案内孔６ｃの係止部６ｄから外れ、更に、軸筒６の長手方向に対して、前後動不能となっていた係止部６ｄからも外れ、摺動子７の係止が解除される。
【００４５】
摺動子７の操作部７ａの押圧を維持しながら、摺動子７を後方へ繰り出す。
【００４６】
この時、消し具９は摺動子７の長尺物保持部７ｂと嵌合している為、摺動子２と共に繰り出され、軸筒６の後端開口部６ｆから突出させる。
【００４７】
凸部７ｌは、摺動子６が案内溝に沿ってまっすぐ移動できるようにするガイド片であり、案内孔６ｃに繰り返し形成されている係止部６ｄの間隔よりも長く形成されている。
【００４８】
摺動子７の操作部７ａの押圧を解除すると、撓んでいた弾性変形部７ｄが、押圧前の形状に復元しようとする。
【００４９】
この時、摺動子７の係合部７ｃが、再び、軸筒６の案内孔６ｃへ、嵌まり込み、更に、軸筒６の長手方向に沿って、交互に繰り返し配置されている軸筒６の係止部６ｄによって、軸筒６の長手方向に対して、摺動子７は前後動することができない。
【００５０】
摺動子７の係合部７ｃには、後方に斜面７ｍと側面に斜面７ｎを設けているので、摺動子７の係合部７ｃが、軸筒６の係止部６ｄとの位置が若干ズレても、斜面に沿って、スムーズに入るようになっている。
【００５１】
尚、消し具９を軸筒６に対して収容させる為の繰り戻し操作については、前述の繰り出し操作とは逆の手順を行えば良い。
【００５２】
尚、実施例２では、消し具９はプラスチック製消しゴムであり、主な組成は、ＴＰＥ樹脂（エラストマー樹脂）やＰＶＣ樹脂（塩化ビニール樹脂）であるが、樹脂間の結合を緩めるための可塑剤、必要に応じてその他の添加剤を加えて混合し、加熱して作られる。また、これに限定されず、筆跡を消去するための材質を適宜選択することも可能である。
【００５３】
ノック式シャープペンシルユニット４は、いわゆるサイドノック式シャープペンシルで、ノック１３を押圧するごとにシャープペンシル用芯が順次繰り出されるものである。
【００５４】
ノック式シャープペンシルユニット４は、前方から、先部材ユニット１０、グリップ１１、前軸１２、ノック１３、中軸ユニット１４、テーパースライド１５で構成されている。（図５〜６参照）
先部材ユニット１０は、前方から、先端パイプ１６、先部材１７、戻り止め１８で構成されている。先端パイプ１６は、先部材１７の前方へ圧入、固定されている。戻り止め１８は、先部材１７の後方から挿入され、圧入、固定されている。
【００５５】
先部材ユニット１０は、前軸１２の前端にある雄螺子部１２ａとの螺合により固定されている。（図５〜６参照）
中軸ユニット１４は、前方から、チャック体１９、チャックリング２０、中子２１、弾撥部材２２、芯タンク２３で構成されている。中軸ユニット１４は、シャープペンシル用芯２４を収容する芯タンク２３を後方に有し、シャープペンシル用芯２４を把持、解放するためのチャック体１９が前方に配置されている。
【００５６】
チャック体１９は、チャック体１９の開閉を行う、チャックリング２０に内嵌されている。チャック体１９、チャックリング２０、並びに、芯タンク２３の前方を内装するように中子２１が配置されている。
【００５７】
中子２１の内壁２１ａには、内鍔部２１ｂが形成されており、内鍔部２１ｂの後端面２１ｃと芯タンク２３の前端面２３ａの間に弾撥部材２２が弾設されている。
【００５８】
中子２１の前方には、外鍔部２１ｄが形成されており、更に、前端面２１ｅが設けられている。前端面２１ｅは、チャックリング２０の前方にある外鍔部２０ａの後端面２０ｂと当接している。つまり、中子２１は、チャックリング２０と弾撥部材２２により、挟持されている。（図５〜６参照）
中軸ユニット１４は、前軸１２に内装され、前軸１２の前端面１２ｂと中子２１の外鍔部２１ｄの後端面２１ｆが当接している。更に、先部材１７の段部１７ａと中子２１の外鍔部２１ｄの前端面２１ｅが当接している。つまり、中軸ユニット１４は、先部材ユニット１０と前軸１２により、挟持されている。（図５〜６参照）
テーパースライド１５は、前軸１２に内装されている。テーパースライド１５は、芯タンク２３の後方より、外嵌している。更に、テーパースライド１５は、テーパースライド１５の後方にある段部１５ａと芯タンク２３の後端面２３ｂと当接している。（図５〜６参照）
ノック１３は、軸筒６の長手方向から見て、コの字状である。前軸１２の外周面１２ｃには、窓孔１２ｄが設けられており、窓孔１２ｄに嵌設されている。更に、ノック１３は、ノック１３の側壁部１３ａにより、テーパースライド１５を把持している。つまり、ノック式シャープペンシルユニット４が分解されないようになっている。（図６〜９、図１２参照）
次に、シャープペンシル用芯２４の繰り出し操作について説明する。（図６、図１２参照）
シャープペンシル用芯２４を繰り出す際には、ノック１３を押圧する。この押圧操作によって、ノック１３の側壁部１３ａに内設された斜面１３ｂとテーパースライド１５のテーパー面１５ｂが当接する。
【００５９】
更に、押圧操作を続けると、斜面１３ｂに沿って、テーパースライド１５が前進する。テーパースライド１５の後方にある段部１５ａと芯タンク２３の後端面２３ｂが当接しているので、芯タンク２３が前進し、チャック体１９も前進する。
【００６０】
チャック体１９は、チャックリング２０に内嵌されているので、チャックリング２０も前進する。
【００６１】
この時、シャープペンシル用芯２４も前進せしめ、チャックリング２０の外鍔部２０ａが、先部材１７の段部１７ｂに、当接し、チャックリング２０は、これ以上前進できなくなる。
【００６２】
更に、チャック体１９が前進すると、チャック体１９は、チャックリング２０の内嵌が外れ、チャック体１９は、拡開し、シャープペンシル用芯２４がチャック体１９から解放され、先端パイプ１６からシャープペンシル用芯２４が突出する。
【００６３】
シャープペンシル用芯２４は、戻り止め１８によって保持されているため、突出した状態を維持している。
【００６４】
ノック１３の押圧操作を解除すると、後方に付勢している弾撥部材２２により、チャック体１９と、芯タンク２３と、テーパースライド１５は後退し、チャック体１９が再びチャックリング２０に内嵌され、シャープペンシル用芯２４は、チャック体１９に把持される。
【００６５】
これで、シャープペンシル用芯２４の繰り出し操作が完了する。
【００６６】
尚、実施例２では、シャープペンシルユニット４と消し具繰り出し装置５は、シャープペンシル用芯２４を補充しやすいように、キャップのパッチン嵌合と同じく、着脱自在になっている。（図５〜６、図１３参照）
尚、実施例２では、シャープペンシルユニット４と消し具繰り出し装置５は、使用時、摺動子７の操作部７ａが回転しないように、前軸１２の内壁１２ｅの後方にある溝部１２ｆと、軸筒６の前方にある外周面６ｇの凸状部６ｈが、嵌まり込み、回転不能となっている。（図５〜６、図１３参照）
尚、実施例２では、シャープペンシルユニット４と消し具繰り出し装置５は、ノック１３と、軸筒６のクリップ６ｉの向きが一致するように、前軸１２の内壁１２ｅの後方にある面１２ｇと、クリップ６の前方にある外周面６ｇの面６ｊが合わさっている。（図５〜６、図１３参照）
尚、実施例２では、シャープペンシルユニット４と消し具繰り出し装置５を組み合わせた消し具繰り出し装置付きシャープペンシルとしている。
【００６７】
しかし、従来、筆記具と長尺物繰り出し装置を組み合わせた場合には、製品の全長が長くなってしまった。
【００６８】
実施例２の消し具繰り出し装置５は、摺動子７の弾性変形部７ｄは、操作部７ａの変位操作によって、摺動子７が前後動可能な軸筒６の長手方向に対して横方向に変位しているため、軸筒６の長手方向に変位のための空間を必要としない。よって、消し具繰り出し装置５の全長を短くすることができる。
【００６９】
このため、筆記具と長尺物繰り出し装置を組み合わせても製品の全長が短くなるので、筆箱やポーチなどに入れやすくなり、携帯性が良いものとなっていた。更に、製品の全長が短くなる分、操作部に指が届きやすくなり、手が小さい女性や子供にも操作性が良いものとなった。
【００７０】
尚、実施例２では、シャープペンシルユニット４と消し具繰り出し装置５を組み合わせた消し具繰り出し装置付きシャープペンシルとしている。
【００７１】
消し具繰り出し装置付きシャープペンシルの他には、固形描画材繰り出し装置付きボールペン、固形化粧料繰り出し装置付き筆ブラシなども挙げられ、また、それらを組み合わせても良い。
【符号の説明】
【００７２】
１    軸筒
１ａ  先端開口部
１ｂ  後端部
１ｃ  外周面
１ｄ  案内孔
１ｅ  係止部
１ｆ  内壁
２    摺動子
２ａ  操作部
２ｂ  長尺物保持部
２ｃ  係合部
２ｄ  弾性変形部
２ｅ  平面部
２ｆ  連結部材
２ｇ  開口部
２ｈ  後端部
２ｉ  内壁
２ｊ  係止部
２ｋ  突起部
２ｌ  凸部
２ｍ  斜面
２ｎ  斜面
３    消し具
３ａ  嵌合部
３ｂ  後端面
４    シャープペンシルユニット
５    消し具繰り出し装置
６    軸筒
６ａ  外周面
６ｂ  面
６ｃ  案内孔
６ｄ  係止部
６ｅ  内壁
６ｆ  後端開口部
６ｇ  外周面
６ｈ  凸状部
６ｉ  クリップ
６ｊ  面
７    摺動子
７ａ  操作部
７ｂ  長尺物保持部
７ｃ  係合部
７ｄ  弾性変形部
７ｅ  平面部
７ｆ  連結部材
７ｇ  開口部
７ｈ  前端部
７ｉ  内壁
７ｊ  係止部
７ｋ  突起部
７ｌ  凸部
７ｍ  斜面
７ｎ  斜面
８    中栓
９    消し具
９ａ  嵌合部
９ｂ  前端面
１０    先部材ユニット
１１    グリップ
１２    前軸
１２ａ  雄螺子部
１２ｂ  前端面
１２ｃ  外周面
１２ｄ  窓孔
１２ｅ  内壁
１２ｆ  溝部
１２ｇ  面
１３    ノック
１３ａ  側壁部
１３ｂ  斜面
１４    中軸ユニット
１５    テーパースライド
１５ａ  段部
１５ｂ  テーパー面
１６    先端パイプ
１７    先部材
１７ａ  段部
１７ｂ  段部
１８    戻り止め
１９    チャック体
２０    チャックリング
２０ａ  外鍔部
２０ｂ  後端面
２１    中子
２１ａ  内壁
２１ｂ  内鍔部
２１ｃ  後端面
２１ｄ  外鍔部
２１ｅ  前端面
２１ｆ  後端面
２２    弾撥部材
２３    芯タンク
２３ａ  前端面
２３ｂ  後端面
２４    シャープペンシル用芯
【図１】
2018122439.tif 000003
【図２】
2018122439.tif 000004
【図３】
2018122439.tif 000005
【図４】
2018122439.tif 000006
【図５】
2018122439.tif 000007
【図６】
2018122439.tif 000008
【図７】
2018122439.tif 000009
【図８】
2018122439.tif 000010
【図９】
2018122439.tif 000011
【図１０】
2018122439.tif 000012
【図１１】
2018122439.tif 000013
【図１２】
2018122439.tif 000014
【図１３】
2018122439.tif 000015